(57)【要約】【課題】警戒状態を利用者が意識したり、なんらかの操作をしたりする必要なく、侵入者に対する警戒をおこなう。【解決手段】侵入者を検知する侵入者検知手段１０１と、前記侵入者検知手段１０１またはその近傍に設置され、当該侵入者検知手段に関する情報が記憶されたＲＦＩＤタグ１０４と、前記ＲＦＩＤタグ１０４に記憶された情報を読み取るＲＦＩＤタグリーダ１０６と前記ＲＦＩＤタグリーダ１０６を設けた携帯端末１０５と、前記侵入者検知手段１０１からの情報と、前記携帯端末１０５からの情報とに基づいて不審者の侵入を判断する侵入判断手段１１２とから構成し、侵入者検知手段１０１による検知情報と利用者が持つ携帯端末１０５に設けられたＲＦＩＤタグリーダ１０６で読み取ったＲＦＩＤタグ１０４の情報との整合性を侵入判断手段１１２が判断する。【選択図】図１
2006039613.tif 000002
【特許請求の範囲】
【請求項１】
家屋や敷地内への侵入者または侵入を試みようとする不審者を検知する侵入者検知手段と、前記侵入者検知手段またはその近傍に設置され、当該侵入者検知手段に関する情報が記憶されたＲＦＩＤタグと、前記ＲＦＩＤタグに記憶された情報を読み取るＲＦＩＤタグリーダを設けた携帯端末と、前記侵入者検知手段からの情報と前記携帯端末からの情報とに基づいて不審者の侵入を判断する侵入判断手段とから構成されたセキュリティ装置。
【請求項２】
侵入判断手段は、侵入者検知手段が不審者または侵入者を検知した情報と携帯端末からのＲＦＩＤタグの情報とを一対とした所定の内容をあらかじめ設定された一定時間内に受け取った場合には不審者の侵入でないと判断し、前記一定時間内に侵入者検知手段が不審者または侵入者を検知した情報だけしか得られない場合は不審者の侵入であると判断する構成とした請求項１記載のセキュリティ装置。
【請求項３】
侵入者検知手段は、玄関扉や窓など建築物の開口部の扉や窓の開閉状態を検知する開閉検知手段、人体から発せられる赤外線を検知して動作する人体検知手段、地面や床部に敷設された圧電センサで人体による荷重を検知して動作する人体検知手段、人体の通過による超音波や赤外線の遮断を検知して動作する人体検知手段のうち少なくともひとつまたは複数から構成した請求項１または２に記載のセキュリティ装置。
【請求項４】
請求項１〜３のいずれか一項記載のセキュリティ装置の少なくとも一部をコンピュータに実行させるプログラム。
【発明の詳細な説明】
【技術分野】
【０００１】
本発明は、使い勝手を向上したセキュリティ装置に関するものである。
【背景技術】
【０００２】
従来、この種のセキュリティ装置は、例えば図４のようなものがある（例えば、特許文献１参照）。
【０００３】
図４は、特許文献１に記載された従来のセキュリティ装置を示すものである。図４に示すように、扉や窓に設置されてその開閉を検知する開閉センサ４１と、開閉センサ４１の情報を処理する処理部４２と、処理部４２の処理結果に基づき警報を発する警報報知手段４３と、処理部４２による処理結果としての警報報知をキャンセルする警報報知キャンセル手段４４から構成されている。
【特許文献１】特開平８−１１０９９５号公報
【発明の開示】
【発明が解決しようとする課題】
【０００４】
しかしながら、前記従来の構成では、誤って開閉センサ４１が扉や窓が開かれたことを検知して処理部４２が一定時間経過後に警報報知手段４３により警報を発する処理をするまでの間に、スイッチなどの警報報知キャンセル手段４４を利用者が操作する必要があり、たいへん煩わしいものであった。
【０００５】
また、警報報知キャンセル手段４４が利用者の身体特徴を用いて警報報知のキャンセルをおこなうかどうか判断するという場合には、セキュリティ性が向上する利点があるものの、たとえば顔画像を認識させるために撮像手段の前に立つなどといったスイッチ操作に準ずるような煩わしいことをおこなわなくてはならず、必ずしも使い勝手に優れるというものではないという課題を有していた。
【０００６】
本発明は、前記従来の課題を解決するもので、不審者に対する警戒をおこないつつ、警戒状態を利用者が意識したり、なんらかの操作をしたりする必要のないセキュリティ装置を提供することを目的とする。
【課題を解決するための手段】
【０００７】
前記従来の課題を解決するために、本発明のセキュリティ装置は、家屋や敷地内への侵入者または侵入を試みようとする不審者を検知する侵入者検知手段と、前記侵入者検知手段またはその近傍に設置され、当該侵入者検知手段に関する情報が記憶されたＲＦＩＤタグと、前記ＲＦＩＤタグに記憶された情報を読み取るＲＦＩＤタグリーダを設けた携帯端末と、前記侵入者検知手段からの情報と、前記携帯端末からの情報とに基づいて不審者の侵入を判断する侵入判断手段とから構成したものである。
【０００８】
これによって、侵入者検知手段による検知情報と利用者が持つ携帯端末に設けられたＲＦＩＤタグリーダで読み取ったＲＦＩＤタグの情報との整合性を侵入判断手段が判断することによって、不審者の侵入であるか、家人などの利用者が検知されたのかを知ることが可能になる。
【発明の効果】
【０００９】
本発明のセキュリティ装置は、利用者の手を煩わさせたり、特殊なものを所持するということなしに、自然な生活行動の中で警戒状態を維持し、かつ家人などの利用者を不審者と判断して誤報を発することのない使い勝手を損なわないという効果を実現することができる。
【発明を実施するための最良の形態】
【００１０】
第１の発明は、家屋や敷地内への侵入者または侵入を試みようとする不審者を検知する侵入者検知手段と、前記侵入者検知手段またはその近傍に設置され、当該侵入者検知手段に関する情報が記憶されたＲＦＩＤタグと、前記ＲＦＩＤタグに記憶された情報を読み取るＲＦＩＤタグリーダを設けた携帯端末と、前記侵入者検知手段からの情報と、前記携帯端末からの情報とに基づいて不審者の侵入を判断する侵入判断手段とから構成することにより、侵入者検知手段による検知情報と利用者が持つ携帯端末に設けられたＲＦＩＤタグリーダで読み取ったＲＦＩＤタグの情報との整合性を侵入判断手段が判断することによって、不審者の侵入であるか、家人などの利用者が検知されたのかを知ることが可能になる。
【００１１】
第２の発明は、特に、第１の発明の侵入判断手段を、侵入者検知手段が不審者または侵入者を検知した情報と携帯端末からのＲＦＩＤタグの情報とを一対とした所定の内容をあらかじめ設定された一定時間内に受け取った場合には不審者の侵入でないと判断し、前記一定時間内に侵入者検知手段が不審者または侵入者を検知した情報だけしか得られない場合は不審者の侵入であると判断する構成とすることにより、侵入者検知手段による検知と、その侵入者検知手段に関する情報が記憶されたＲＦＩＤタグの情報の読み取りがなされたそれぞれの時間関係を判断して、ある一定時間以内の場合にそれらの情報が対で得られたときにはＲＦＩＤタグリーダを設けた携帯端末を持つ家人などの利用者であると判断できる。
【００１２】
第３の発明は、特に、第１または第２の発明の侵入者検知手段を、玄関扉や窓など建築物の開口部の扉や窓の開閉状態を検知する開閉検知手段、人体から発せられる赤外線を検知して動作する人体検知手段、地面や床部に敷設された圧電センサで人体による荷重を検知して動作する人体検知手段、人体の通過による超音波や赤外線の遮断を検知して動作する人体検知手段のうち少なくともひとつまたは複数から構成することにより、多くの種類の侵入者検知手段に対応できるとともに、利用者毎にＲＦＩＤタグリーダを設けた携帯端末を持っていれば、侵入者検知手段のそれぞれにはＲＦＩＤタグを設けるだけの簡単な構成で多くの侵入者検知手段の設置が可能となり、セキュリティ効果が高まるという効果がある。
【００１３】
第４の発明は、特に、第１〜３の発明のいずれか１つの発明のセキュリティ装置の少なくとも一部をコンピュータに実行させるプログラムとすることにより、電気・情報機器、コンピュータ、サーバー等のハードリソースを協働させて本発明のセキュリティ装置の少なくとも一部を容易に実現することができる。また記録媒体に記録したり通信回線を用いてプログラムを配信したりすることでプログラムの配布・更新やそのインストール作業が簡単にできる。
【００１４】
以下、本発明の実施の形態について、図面を参照しながら説明する。なお、この実施の形態によって本発明が限定されるものではない。
【００１５】
（実施の形態１）
図１は本発明の第１の実施の形態におけるセキュリティ装置の構成を示す図である。
【００１６】
図１において、侵入者検知手段としての開閉検知手段１０１は、建具に設置され、二つの磁石が離れたり近づいたりすることによって窓や扉の開閉を検知する開閉センサ１０２と、その情報を伝達するための第一の通信手段１０３からなり、さらに、この開閉検知手段１０１の識別情報が記憶されたＲＦＩＤタグ１０４が設けられている。
【００１７】
利用者が持つ携帯端末１０５には、ＲＦＩＤタグ１０４に記憶された情報を読み取るＲＦＩＤタグリーダ１０６と、その情報を伝達するための第二の通信手段１０７が設けられている。
【００１８】
開閉検知手段１０１と携帯端末１０５からの情報は、屋内に設置されている情報処理手段１０８に第三の通信手段１０９を介して伝えられ、情報処理部１１０と時間をカウントするタイマ１１１とを用いて不審者の侵入を判断する侵入判断手段１１２と、この侵入判断手段１１２の処理結果に基づいて警報を報知する警報報知手段１１３が設けられている。
【００１９】
なお、ＲＦＩＤタグ１０４は、ＲＦＩＤタグリーダ１０６が発する電波を受けて信号を発し、概ね１〜２ｍ程度の範囲にＲＦＩＤタグリーダ１０６が近づいたときに信号を発する。また、第一の通信手段１０３、第二の通信手段１０７、第三の通信手段１０９は、無線通信ユニットである。
【００２０】
図２は、設置された状態を示している。掃出し窓２０１とその上部の壁に開閉検知手段１０１が設置されている。利用者２０２は、ＲＦＩＤタグリーダ１０６を内蔵した携帯端末１０５を所持し、開閉検知手段１０１に設けられたＲＦＩＤタグ１０４の情報を読み取る。屋内の壁には、開閉検知手段１０１と携帯端末１０５からの情報を処理する情報処理手段１０８を設置している。なお、第一の通信手段１０３、第二の通信手段１０７、第三の通信手段１０９で情報をやりとりする様子を矢印２０３で表現している。
【００２１】
以上のように構成されたセキュリティ装置について、以下その動作、作用を説明する。
【００２２】
図３は情報処理手段１０８内の侵入判断手段１１２でおこなわれる処理のフローチャートである。
【００２３】
すなわち、掃出し窓２０１を開ける動作が携帯端末１０５を持つ家人などの利用者２０２によるものであれば、その動作に前後してＲＦＩＤタグリーダ１０６がＲＦＩＤタグ１０４を読み取ることができる範囲に入るのを利用したものである。
【００２４】
運転を開始すると、ステップ３０１において開閉検知手段１０１からは掃出し窓２０１が開けられたという信号と、ステップ３０２において携帯端末１０５からはＲＦＩＤタグリーダ１０６でＲＦＩＤタグ１０４の情報を読み取ったという信号を受信する待ち受けモードとなる。
【００２５】
開閉検知手段１０１から掃出し窓２０１が開けられたという情報を受信すると（Ｓ３０１）、タイマ１１１を起動し（Ｓ３０３）、携帯端末１０５からのＲＦＩＤタグ１０４の情報を待つ（Ｓ３０４）。タイマ１１１は携帯端末１０５からの待ち受け時間（たとえば１分間）をカウントし（Ｓ３０５）、待ち受け時間満了前にＲＦＩＤタグ１０４の情報を受信すれば（Ｓ３０４）、掃出し窓２０１を開けたのは携帯端末１０５を持つ家人などの利用者２０２によるものであると判断し（Ｓ３０６）、処理を終了して最初に戻る。
【００２６】
一方、掃出し窓２０１が開けられて、タイマ１１１によるＲＦＩＤタグ１０４の情報の待ち受け時間が満了した場合は（Ｓ３０５）、利用者２０２以外の侵入者が侵入を試みたと判断し（Ｓ３０７）、警報報知手段１１３を起動する（Ｓ３０８）。警報報知手段１１３は、屋内に警報を発したり、あらかじめ決められた電話番号に電話をかけて、不審者が侵入したことを外出中の家人や警備会社に伝える。
【００２７】
次に、ステップ３０１とステップ３０２の待ち受け時にＲＦＩＤタグ１０４の情報を受信した場合は（Ｓ３０２）、タイマ１１１を起動し（Ｓ３０９）、開閉検知手段１０１からの掃出し窓２０１が開けられたという情報を待つ（Ｓ３１０）。タイマ１１１は待ち受け時間をカウントし（Ｓ３１１）、待ち受け時間満了前に開閉検知手段１０１からの情報を受信すれば（Ｓ３１０）、掃出し窓２０１が家人などの利用者２０２によるものであると判断し（Ｓ３１２）、処理を終了して最初に戻る。
【００２８】
そのまま待ち受け時間が満了した場合についても（Ｓ３１１）、ＲＦＩＤタグ１０４の情報を受信しているということはいずれの場合も家人などの利用者２０２によるものなので、処理を終了して最初に戻る。
【００２９】
なお、本実施の形態では、開閉検知手段１０１と情報処理手段１０８を別設の構成としたが、一体に構成してもよく、この場合には第一の通信手段１０３と第三の通信手段１０９がひとつで共用できたり、設置工事が簡便になるなどの効果がある。
【００３０】
さらに、図示しないが、侵入者検知手段として、開閉検知手段１０１以外に人体から発せられる赤外線を検出したり、床面に敷設して人体が載ったことによる圧力を検出するもの、あるいは超音波や赤外線をさえぎった場合に侵入者として検知するような人体検知手段を用いても、同様の効果、作用を実現する。この結果、多くの種類の侵入者検知手段に対応できるとともに、通常は利用者数に比べて必要な侵入者検知手段の数のほうが多いので、侵入者検知手段にＲＦＩＤタグ１０４を設けるほうが構成が簡単になって有利である。
【００３１】
また、侵入者検知手段の側の消費電力が少なくなるので、多くの場所に設置されることを考えれば、電池交換などのメンテナンスが軽減されるという効果がある。
【００３２】
携帯端末１０５が携帯電話である場合、つまり、携帯電話にＲＦＩＤタグリーダ１０６が組み込まれていれば、充電などのメンテナンスは日常的に自然におこなわれることになり、メンテナンスの不備によりセキュリティが働かなかったというような不具合は生じにくい。
【産業上の利用可能性】
【００３３】
以上のように、本発明にかかるセキュリティ装置は、利用者の生活行動に何ら影響を与えることなく、警戒の設定状態を意識させずに警戒状態を実現できるとともに、誤報を有効に防止することができるので、住宅の屋内外だけでなく、ビルなどの屋内の室の扉内外のセキュリティ用途にも適用できる。
【図面の簡単な説明】
【００３４】
【図１】本発明の実施の形態１におけるセキュリティ装置の構成図
【図２】同設置の状態を示した図
【図３】同動作のフローチャート
【図４】従来のセキュリティ装置の構成図
【符号の説明】
【００３５】
１０１  侵入者検知手段としての開閉検知手段
１０４  ＲＦＩＤタグ
１０５  携帯端末
１０６  ＲＦＩＤタグリーダ
１１２  侵入判断手段
【図１】
2006039613.tif 000003
【図２】
2006039613.tif 000004
【図３】
2006039613.tif 000005
【図４】
2006039613.tif 000006